(57)【要約】【課題】  光走査部の走査線曲がり／傾き補正機構がそれぞれ独立して動作できると共に該機構を光学ハウジング内にシンプルな構成で配置でき、コストの低減も可能な画像形成装置を提供する。【解決手段】  走査線傾きを調整する機構は少なくとも走査線曲がりの調整に影響力の少ない機構であり、かつ、光学素子（長尺レンズ５ａ〜５ｄ）を直接光学ハウジングに配置し、４個の感光体９ａ〜９ｄに光走査し、潜像を形成する為に、４個の光路が配置された光走査部を備え、走査線曲がり／傾き調整機構を光学素子（長尺レンズ５ａ〜５ｄ）の光学ハウジング配置面１３ｂの対向面に備えた。【選択図】        図１
2006085104.tif 000002
【特許請求の範囲】
【請求項１】
Ｎ個の感光体を光走査して夫々に潜像を形成するために形成されるＮ個の光路と、各光路に沿った走査線の位置を副走査対応方向に補正する主なるパワーを有し且つ光学ハウジングに配置された光学素子と、この光学素子を副走査方向に変形させて走査線曲がりを調整し、主走査方向と直角かつ副走査方向と直角である軸を中心として回動させることにより走査線傾きを調整する走査線曲がり／走査線傾き調整機構と、を備えた光走査装置、を有するカラー画像形成装置において、
前記走査線曲がり／傾き調整機構を前記光学素子の光学ハウジング配置面の対向面に備えたことを特徴とする画像形成装置。
【請求項２】
請求項１記載の画像形成装置において、
前記走査線曲がり／傾き調整機構が一つの筐体に備えられていることを特徴とする画像形成装置。
【請求項３】
請求項１記載の画像形成装置において、
前記走査線曲がり／傾き調整機構の筐体は、取付けられる前記光学素子よりも、剛性があることを特徴とする画像形成装置。
【発明の詳細な説明】
【技術分野】
【０００１】
本発明は、レーザビームプリンタ、デジタル複写機、レーザＦＡＸなどの画像形成装置に関し、特に、走査線曲がり／傾き補正機構がそれぞれ独立して動作できると共に該機構を光学ハウジング内にシンプルな構成で配置でき、コストの低減も可能な画像形成装置に関する。
【背景技術】
【０００２】
レーザビームプリンタ、デジタル複写機、レーザＦＡＸなどの画像形成装置は、光源からの光ビームを偏向走査する正多角形に形成されたポリゴンミラーと、該ポリゴンミラーによって走査された光ビームを感光体面上に結像するための光学素子（走査レンズ）とを備え、書込み開始位置を決定するために、有効露光領域外の走査開始側に光検知器が設けられている。
このような画像形成装置では、光学素子の像面湾曲特性、光学ハウジングのねじれ、ポリゴンモータの発熱による熱変形、本体内での別Ｕｎｉｔを熱源とする熱変形、感光体の取付け時のねじれなどによって、レーザ走査線に曲がり／傾きが発生するといった問題がある。走査線曲がり／傾きが発生することによって、特に、カラー画像形成装置では、３ないし４本の走査線が、重ならないために、色ずれの原因となる。
このような問題に対して、例えば特許文献１の技術では、光学ハウジング内に、走査方向に沿って長く形成された板状のガラスを配置するもので、このガラス板を断面内で傾けて光学ハウジングに配置したり、ガラスの厚みを変えたりすることによって、走査線傾曲がりを調整することができるとしている。
また、特許文献２の技術には、光学ハウジング内の折り返しミラーを光軸方向に対して、垂直な方向に傾けることによって、走査線傾きを調整するという技術が示されている。
また、特許文献３では、複数のＬＤユニットから出射されたレーザビームに、それぞれ対応する副走査方向へのパワーを持つ光学素子に、走査線曲がりを補正するために、強制的に副走査方向に光学素子をたわませる機構と、走査線傾きを補正する機構を備えた技術が開示されている。
【特許文献１】特開平１１−２８７９６６号公報
【特許文献２】特開２００１−１００１３５公報
【特許文献３】特開２００２−１８２１４５公報
【発明の開示】
【発明が解決しようとする課題】
【０００３】
しかしながら、特許文献１の技術では、走査線曲がりの湾曲量は変化することができるものの、走査線傾きは調整することができない。そのため、それぞれの光路における走査線曲がり量が調整できたとしても、走査線傾きは調整することができず、結果として色むら、色ずれといった画像品質の劣化を招いてしまう。
また、特許文献２の技術では、走査線傾きは補正できるものの、傾き調整を行うことによって、走査線曲がりが変化してしまう。そのため、調整後にさらに、再調整が必要となり、補正値の収束性が悪い。また、走査線曲がり／傾き補正後に、各像高間の倍率が変化してしまう（折返しミラーを回転することによって、各像高での光路長が変化する）。
また、特許文献３の場合は、各レーザに対応するそれぞれの長尺レンズに、走査線曲がり／傾き調整機構を備え、それぞれの調整を独立して行うことができるため、前述のような不具合がないものの、調整機構自身が大掛かりであり、光学ハウジング内での配置が困難であるとともに、コストも非常にかかってしまう。
そこで、本発明は、前述した実情を考慮してなされたもので、光走査部の走査線曲がり／傾き補正機構がそれぞれ独立して動作できると共に該機構を光学ハウジング内にシンプルな構成で配置でき、コストの低減も可能な画像形成装置を提供することを目的とする。
【課題を解決するための手段】
【０００４】
上記の課題を解決するために、請求項１に記載の発明は、Ｎ個の感光体を光走査して夫々に潜像を形成するために形成されるＮ個の光路と、各光路に沿った走査線の位置を副走査対応方向に補正する主なるパワーを有し且つ光学ハウジングに配置された光学素子と、この光学素子を副走査方向に変形させて走査線曲がりを調整し、主走査方向と直角かつ副走査方向と直角である軸を中心として回動させることにより走査線傾きを調整する走査線曲がり／走査線傾き調整機構と、を備えた光走査装置、を有するカラー画像形成装置において、前記走査線曲がり／傾き調整機構を前記光学素子の光学ハウジング配置面の対向面に備えたことを最も主要な特徴とする。
また、請求項２に記載の発明では、前記走査線曲がり／傾き調整機構が一つの筐体に備えられている画像形成装置を主要な特徴とする。
また、請求項３に記載の発明では、前記走査線曲がり／傾き調整機構の筐体は、取付けられる前記光学素子よりも、剛性がある画像形成装置を主要な特徴とする。
【発明の効果】
【０００５】
本発明によれば、走査線曲がり調整と、走査線傾き調整を独立に行なうことができる走査線曲がり／傾き調整機構が、該光学素子の光学ハウジング配置面の対向面に備えられていることにより、光学素子の配置誤差などによる光学特性の劣化を少なくし、手動で調整する際に、走査線曲がり／傾き調整を容易に実施できる。また、光学ハウジング内にシンプルな構成で配置でき、コストの低減も可能になる。
また、走査線曲がり／傾き調整機構が一つの筐体に備えられていることにより、それぞれ独立して調整が可能となり、組付け時の公差ばらつきによる光学特性への影響を少なくすることができる。
また、走査線曲がり／傾き調整機構の筐体が、取付けられる該光学素子よりも剛性を持つことにより、調整精度を向上させることができる。
【発明を実施するための最良の形態】
【０００６】
以下、図面を参照して、本発明を実施するための最良の形態を詳細に説明する。図１は本発明の画像形成装置を実施するための最良の形態であるデジタルカラー機２０の光走査部周辺の断面図である。図１に示すように、光走査部は、正多角形の側面に反射ミラーを有し、高速回転によりレーザ光を偏向・走査するポリゴンミラー１ａ、１ｂ、ポリゴンモータの防音効果を持たせた防音ガラス２ａ、２ｂ、ポリゴンミラーによりビーム走査の等角度運動を等速直線運動へと変えるｆθレンズ３ａ、３ｂ、像担持体（後述する感光体）へとレーザ光を導くミラー（第１〜第３）４ａ、４ｂ、４ｃ、４ｄ、６ａ、６ｂ、６ｃ、６ｄ、７ａ、７ｂ、７ｃ、７ｄ、ポリゴンミラーの面倒れを補正する長尺レンズ５ａ、５ｂ、５ｃ、５ｄ、光学ハウジング内への塵などの落下を防止する防塵ガラス８ａ、８ｂ、８ｃ、８ｄ、各色による像を形成する感光体９ａ、９ｂ、９ｃ、９ｄ、上記光学素子（光学部材）が配置される光学ハウジング壁面１３ａ、光学素子を配置する光学ハウジング配置面１３ｂ、光学ハウジングを密閉するための上段蓋１１、下段蓋１２、ポリゴンミラー部分の蓋１０で構成されている（それぞれの光路を、１４ａ、１４ｂ、１４ｃ、１４ｄとする）。
図２はデジタルカラー機２０の概略断面図である。図２に示すように、デジタルカラー機２０は中間転写ベルト１８、給紙部１９を有し、中間転写ベルト１８の下部に前述の光走査部の光学ハウジング１５が配されている。各感光体９ａ〜９ｄから中間転写ベルト１８上にトナー像が重ね転写されて搬送される。給紙部１９から取り出された転写紙は搬送路に沿って移動し、その途中で中間転写ベルト１８から画像を転写され、図示しない定着工程等を経て機外へ排出されるようになっている。矢印Ａは、転写ベルトの駆動方向を示す。
【０００７】
次に、図３、図４に走査線曲がり／傾き調整機構の例を示す。走査線曲がり／傾き調整機構は、ポリゴンミラーの面倒れを補正する長尺レンズ５、走査線曲がり／傾き調整するためのブラケット２１、長尺レンズ５とブラケット２１を固定する板バネ２２〜２４、走査線曲がり調整ネジ２５、走査線傾きを自動調整する駆動モータ（ステッピングモータ）２６、駆動モータホルダー２７、アジャスタ２８、光学ハウジングの受け部２９、長尺レンズを固定する板バネ３０〜３３で構成されている。
図３、図４のように、走査線の位置を副走査方向に補正するパワーをもった光学素子（長尺レンズ５）と、長尺レンズ５よりも剛性が強い材質で作られているブラケット２１とを、板バネ２２〜２４で固定する。ブラケット２１に長尺レンズの受け面を設け（図５）、中央の板バネ２２によって、長尺レンズは、強制的に撓んだ状態で、ブラケットに固定される（図６）。即ち、中央の板バネ２２は、ブラケット２１と長尺レンズ５の中央部上部に設けた突起との間を係止する一方で、板バネ２３、２４はハウジング側に長尺レンズ５の両端部を固定する。
この状態を初期状態とし、走査線曲がり調整ネジ２５を長尺レンズの配置面である光学ハウジング面１５（図７）の方向に打ち込んでいくことによって、長尺レンズは、徐々に初期状態と反対側へと撓んでいく。この長尺レンズの撓み量に応じて、走査線曲がりは、図８のように調整することができる。この時、ブラケットが該光学素子に対して十分剛性を持つ材質であることが重要である。ブラケットの剛性が十分でない場合、曲がり調整ねじを打ち込んでいっても、長尺レンズが撓むより先にブラケットが撓んでしまい、調整精度が落ちてしまう。  
【０００８】
走査線傾き調整機構は、曲がり調整のためのブラケットと同じ筐体に備え、長尺レンズ中央を支点（図７）として、ブラケット２１の端部を、アジャスタ２８で押すような構成となるように、駆動モータ２６を設ける。アジャスタ２８は、ステッピングモータ２６の図示しない出力軸に連結されることにより、ブラケット２１の一端部を押したり引いたりして副走査方向へ進退させるように構成されている。駆動モータ２６を駆動させることによって、アジャスタ２８が、図３の矢印の方向へと移動する。ブラケット端部の板バネ３０、３１は、ブラケット２１と長尺レンズ５を走査面に対して垂直方向（直交方向）へ規制するためのものであるが、板バネのバネ強度は、駆動モータ２６側の板バネ３０の方が、もう一方の板バネ３１よりも強いバネであることが重要である。
この駆動モータ２６の動きに連動して、ブラケット２１が傾き、走査線傾きが調整できる。この時も前述したように、ブラケットの剛性が十分でない場合、駆動モータ２６の動きに対してブラケットが撓んでしまい、走査線傾き量が狙い通り調整できず、調整精度が低下してしまう。
このように、本発明に係るデジタルカラー機２０では、走査線曲がり調整と、走査線傾き調整を独立に行なうことができる走査線曲がり／傾き調整機構が、該光学素子の光学ハウジング配置面の対向面に備えられていることにより、光学素子の配置誤差などによる光学特性の劣化を少なくし、手動で調整する際に、走査線曲がり／傾き調整を容易に調整できる。また、光学ハウジング内にシンプルな構成で配置でき、コストの低減も可能になる。
また、走査線曲がり／傾き調整機構が一つの筐体に備えられていることにより、それぞれ独立して調整が可能となり、組付け時の公差ばらつきによる光学特性への影響を少なくすることができる。また、走査線曲がり／傾き調整機構の筐体が、取付けられる該光学素子よりも剛性を持つことにより、調整精度を向上させることができる。
【図面の簡単な説明】
【０００９】
【図１】本発明の画像形成装置を実施するための最良の形態であるデジタルカラー機２０の光走査部周辺の断面図。
【図２】デジタルカラー機２０の概略断面図。
【図３】走査線曲がり／傾き調整機構の斜視図（その１）。
【図４】走査線曲がり／傾き調整機構の斜視図（その２）。
【図５】長尺レンズの受け面部を示すブラケットの斜視図。
【図６】長尺レンズのブラケットに対する撓みの向きを示す説明図。
【図７】ブラケットと光学ハウジング面１３の断面図。
【図８】長尺レンズの撓み量に応じて走査線曲がりを調整した後のたわみの状態を示す説明図。
【符号の説明】
【００１０】
１ａ、１ｂ  ポリゴンミラー、２ａ、２ｂ  防音ガラス、３ａ、３ｂ  ｆθレンズ、４ａ、４ｂ、４ｃ、４ｄ  ミラー、５ａ、５ｂ、５ｃ、５ｄ  長尺レンズ、６ａ、６ｂ、６ｃ、６ｄ  ミラー、７ａ、７ｂ、７ｃ、７ｄ  ミラー、８ａ、８ｂ、８ｃ、８ｄ  防塵ガラス、９ａ、９ｂ、９ｃ、９ｄ  感光体、１０  蓋、１１  上段蓋、１２  下段蓋、１３ａ  光学ハウジング壁面、１３ｂ  光学ハウジング配置面、１４ａ、１４ｂ、１４ｃ、１４ｄ  光路、１５  光学ハウジング、１８  中間転写ベルト、１９  給紙部、２０  デジタルカラー機、２１  ブラケット、２２、２３、２４、３０、３１、３２、３３  板バネ、２５  走査線曲がり調整ネジ、２６  駆動モータ、２７  駆動モータホルダー、２８  アジャスタ、２９  受け部
【図１】
2006085104.tif 000003
【図２】
2006085104.tif 000004
【図３】
2006085104.tif 000005
【図４】
2006085104.tif 000006
【図５】
2006085104.tif 000007
【図６】
2006085104.tif 000008
【図７】
2006085104.tif 000009
【図８】
2006085104.tif 000010